(57)【要約】【課題】別体の上部挟持体の上面側に突出するものをなくして、上部挟持体と下部挟持部とでグリップ部を強固に挟持できるようにすることである。【解決手段】後部竿支持部４の上部挟持体６を、グリップ部Ａの上側を挟持する湾曲部６ａの左右両側に、下部挟持部５の外径面の左右両側に設けた溝５ｂ、５ｃに上方から差し込まれる垂下部６ｂ、６ｃを設けたものとし、これらの垂下部６ｂ、６ｃの外側面に雄ねじ１８ａを切り、各溝５ｂ、５ｃに差し込まれた各垂下部６ｂ、６ｃの外側から、内径面に雌ねじ１８ｂが切られたねじリング１９を雄ねじ１８ａと螺合させるように、下部挟持部５の外径面に嵌着し、ねじリング１９を回転させて各垂下部６ｂ、６ｃを上下に移動させるようにすることにより、上部挟持体６の上面側に突出するものをなくして、別体の上部挟持体６と下部挟持部５とでグリップ部Ａを強固に挟持できるようにした。【選択図】図３
2008301756.tif 000002
【特許請求の範囲】
【請求項１】
固定用のクランプ部を設けた基台に、釣竿のグリップ部を前後２点で支持する前部竿支持部と後部竿支持部とを設け、前記後部竿支持部を柱状の下部挟持部と別体の上部挟持体で形成して、これらの下部挟持部と上部挟持体とで前記グリップ部を上下に挟持する釣竿支持具において、前記後部竿支持部の上部挟持体を、前記グリップ部の上側を挟持する湾曲部の左右両側に、前記下部挟持部の外径面に上方から沿わされる垂下部を設けて、これらの垂下部の外側面に雄ねじを切り、前記下部挟持部の外径面に、この外径面に沿わされた各垂下部の外側から、内径面に雌ねじが切られたねじリングを、前記各垂下部の雄ねじと螺合させるように嵌着し、この下部挟持部の外径面に嵌着したねじリングを回転させることにより、前記各垂下部を上下に移動させて、前記上部挟持体と下部挟持部とで前記グリップ部を上下に挟持するようにしたことを特徴とする釣竿支持具。
【請求項２】
前記上部挟持体の左右両側の垂下部の一方の垂下長さを他方の垂下長さよりも長くし、この垂下長さを長くした垂下部を、前記雄ねじが切られた部分の下側に、屈曲可能なヒンジ部を介して延長部を設けたものとした請求項１に記載の釣竿支持具。
【請求項３】
前記別体の上部挟持体を複数個用意し、前記グリップ部の上側を挟持する湾曲部の下面を、それぞれ曲率半径が異なる凹円弧面とした請求項１または２に記載の釣竿支持具。
【発明の詳細な説明】
【技術分野】
【０００１】
本発明は、船べりの手摺り等に固定して使用する釣竿支持具に関する。
【背景技術】
【０００２】
船べりの手摺り等に固定して使用する釣竿支持具には、手摺り等への固定用のクランプ部を設けた基台に、釣竿のグリップ部を前後２点で支持する前部竿支持部と後部竿支持部とを設け、後部竿支持部を柱状の下部挟持部と別体の上部挟持体で形成して、これらの下部挟持部と上部挟持体とでグリップ部を上下に挟持するようにしたものがある（例えば、特許文献１、２参照）。
【０００３】
特許文献１、２に記載されたものでは、前部竿支持部が釣竿を下方から受ける支持腕とされ、後部竿支持部の別体の上部挟持体は、柱状の下部挟持部に一対のねじで上方から締め付けられて、グリップ部を上下に挟持するようにしている。また、下部挟持部は、前後に傾動可能な支持台に設けられた係合突起に係脱可能に取り付けられており、釣った魚を引き上げるときに、釣竿を立てることができるようにするとともに、釣竿を後部竿支持部と一緒に基台から取り外して、自由に持ち上げることができるようになっている。
【０００４】
【特許文献１】特開平８−８４５５０号公報
【特許文献２】登録実用新案第３０１１２０１号公報
【発明の開示】
【発明が解決しようとする課題】
【０００５】
特許文献１に記載された釣竿支持具は、船べりの手摺り等に釣竿を強固に安定して支持できるとともに、釣った魚を引き上げるときに、簡単に釣竿を取り外して魚を捕獲することができるが、下部挟持部に上部挟持体を上方から締め付けるねじが上部挟持体の上面側に突出し、釣竿を後部竿支持部と一緒に基台から取り外すときに、突出したねじが釣竿のグリップ部を把持する手の手首部に当たる問題がある。このように突出したねじが手首部に当たると、手首部が圧迫されるのみでなく、急いで釣竿を取り外すときは、手首部を負傷する恐れもある。
【０００６】
そこで、本発明の課題は、別体の上部挟持体の上面側に突出するものをなくして、上部挟持体と下部挟持部とでグリップ部を強固に挟持できるようにすることである。
【課題を解決するための手段】
【０００７】
上記の課題を解決するために、本発明は、固定用のクランプ部を設けた基台に、釣竿のグリップ部を前後２点で支持する前部竿支持部と後部竿支持部とを設け、前記後部竿支持部を柱状の下部挟持部と別体の上部挟持体で形成して、これらの下部挟持部と上部挟持体とで前記グリップ部を上下に挟持する釣竿支持具において、前記後部竿支持部の上部挟持体を、前記グリップ部の上側を挟持する湾曲部の左右両側に、前記下部挟持部の外径面に上方から沿わされる垂下部を設けて、これらの垂下部の外側面に雄ねじを切り、前記下部挟持部の外径面に、この外径面に沿わされた各垂下部の外側から、内径面に雌ねじが切られたねじリングを、前記各垂下部の雄ねじと螺合させるように嵌着し、この下部挟持部の外径面に嵌着したねじリングを回転させることにより、前記各垂下部を上下に移動させて、前記上部挟持体と下部挟持部とで前記グリップ部を上下に挟持する構成を採用した。
【０００８】
すなわち、後部竿支持部の上部挟持体を、グリップ部の上側を挟持する湾曲部の左右両側に、下部挟持部の外径面に上方から沿わされる垂下部を設けて、これらの垂下部の外側面に雄ねじを切り、下部挟持部の外径面に、この外径面に沿わされた各垂下部の外側から、内径面に雌ねじが切られたねじリングを、各垂下部の雄ねじと螺合させるように嵌着し、この下部挟持部の外径面に嵌着したねじリングを回転させることにより、各垂下部を上下に移動させて、下部挟持部と上部挟持体とに設けた竿挟持面で釣竿を上下に挟持することにより、別体の上部挟持体の上面側に突出するものをなくして、上部挟持体と下部挟持部とでグリップ部を強固に挟持できるようにした。
【０００９】
前記上部挟持体の左右両側の垂下部の一方の垂下長さを他方の垂下長さよりも長くし、この垂下長さを長くした垂下部を、前記雄ねじが切られた部分の下側に、屈曲可能なヒンジ部を介して延長部を設けたものとすることにより、各垂下部が上方へ移動するようにねじリングを回転させて、垂下長さを短くした垂下部のねじリングとの螺合が外れたときに、垂下長さを長くした垂下部の延長部をねじリングに係止した状態で、ヒンジ部の屈曲によりグリップ部の上側を覆う湾曲部を逃がして、釣竿を後部竿支持部に着脱可能とし、別体の上部挟持体の紛失を防止することができる。
【００１０】
前記別体の上部挟持体を複数個用意し、前記グリップ部の上側を挟持する湾曲部の下面を、それぞれ曲率半径が異なる凹円弧面とすることにより、直径が異なるグリップ部を強固に挟持することができる。
【発明の効果】
【００１１】
本発明の釣竿支持具は、後部竿支持部の上部挟持体を、グリップ部の上側を挟持する湾曲部の左右両側に、下部挟持部の外径面に上方から沿わされる垂下部を設けて、これらの垂下部の外側面に雄ねじを切り、下部挟持部の外径面に、この外径面に沿わされた各垂下部の外側から、内径面に雌ねじが切られたねじリングを、各垂下部の雄ねじと螺合させるように嵌着し、この下部挟持部の外径面に嵌着したねじリングを回転させることにより、各垂下部を上下に移動させて、下部挟持部と上部挟持体とに設けた竿挟持面でグリップ部を上下に挟持するようにしたので、別体の上部挟持体の上面側に突出するものをなくして、上部挟持体と下部挟持部とでグリップ部を強固に挟持することができる。
【００１２】
前記上部挟持体の左右両側の垂下部の一方の垂下長さを他方の垂下長さよりも長くし、この垂下長さを長くした垂下部を、雄ねじが切られた部分の下側に、屈曲可能なヒンジ部を介して延長部を設けたものとすることにより、各垂下部が上方へ移動するようにねじリングを回転させて、垂下長さを短くした垂下部のねじリングとの螺合が外れたときに、垂下長さを長くした垂下部の延長部をねじリングに係止した状態で、ヒンジ部の屈曲によりグリップ部の上側を覆う湾曲部を逃がして、釣竿を後部竿支持部に着脱可能とし、別体の上部挟持体の紛失を防止することができる。
【００１３】
前記別体の上部挟持体を複数個用意し、グリップ部の上側を挟持する湾曲部の下面を、それぞれ曲率半径が異なる凹円弧面とすることにより、直径が異なるグリップ部を強固に挟持することができる。
【発明を実施するための最良の形態】
【００１４】
以下、図面に基づき、本発明の実施形態を説明する。この釣竿支持具は、図１に示すように、船べりの手摺り等への固定用のクランプ部１を設けた基台２に、釣竿のグリップ部Ａを前後２点で支持する前部竿支持部３と後部竿支持部４とが設けられており、後部竿支持部４は、柱状の下部挟持部５と別体の上部挟持体６とで形成され、これらの下部挟持部５と上部挟持体６でグリップ部Ａを上下に挟持するようになっている。基台２、前部竿支持部３および後部竿支持部４の下部挟持部５と上部挟持体６は、いずれも樹脂で形成されている。
【００１５】
前記クランプ部１は、基台２の下面に設けられた上クランプ１ａと、基台２の下方へＬ字状に延びる腕部２ａに螺合されたねじ棒１ｂに取り付けられた下クランプ１ｃとからなり、手摺りとしてのパイプＢを上下にクランプするようになっている。
【００１６】
前記前部竿支持部３は、グリップ部Ａの前側を下方から受ける湾曲した支持腕７で形成され、支持腕７は基台２にピン８で傾動可能に枢着されており、枢着された基部近傍の下面に螺着されたボルト９の出し入れによって、傾動位置を調節されるようになっている。
【００１７】
前記後部竿支持部４の下部挟持部５は円柱状で、底面側から抉り込まれた凹部５ａが設けられ、基台２にピン１０で前後方向へ傾動可能に枢着された支持台１１に設けられた係合突起１２に上方から嵌め込まれており、後面側に取り付けられた係合レバー１３を係合突起１２の顎部１２ａに係合させることにより、係脱可能とされている。なお、支持台１１は、ピン１０に装着されたねじりコイルばね１４で前方へ傾動するように付勢され、係合突起１２に嵌め込まれた下部挟持部５が直立する位置で、基台２に設けられたストッパ１５に係止されるようになっている。
【００１８】
図２および図３に示すように、前記別体の上部挟持体６は、下面にグリップ部Ａの上側を挟持する凹円弧面１６が形成された湾曲部６ａと、湾曲部６ａの左右両側に垂下された扁平な垂下部６ｂ、６ｃとからなる。また、円柱状の下部挟持部５は、上面にグリップ部Ａの下側を挟持する２本の凸条１７が形成され、外径面の左右両側には、上端から下方に延びる平底の溝５ｂ、５ｃが設けられており、各垂下部６ｂ、６ｃはこれらの溝５ｂ、５ｃに沿って上方から差し込まれるようになっている。なお、グリップ部Ａを挟持する凹円弧面１６の部分と２本の凸条１７の周辺部分は、弾力性の高い樹脂で形成されている。
【００１９】
前記各垂下部６ｂ、６ｃの外側面には雄ねじ１８ａが切られ、各溝５ｂ、５ｃに差し込まれた各垂下部６ｂ、６ｃの外側から、内径面に雌ねじ１８ｂを切られたねじリング１９が、各垂下部６ｂ、６ｃの雄ねじ１８ａと螺合するように下部挟持部５の外径面に嵌着されて、下部挟持部５の上端部に設けられた鍔２０と後面側の係合レバー１３との間で上下に抜け止めされており、ねじリング１９を回転させることにより各垂下部６ｂ、６ｃが上下に移動する。なお、ねじリング１９の外径面には、回転を容易にするためのローレット加工が施されている。したがって、上部挟持体６の上面側に突出するものはなく、各垂下部６ｂ、６ｃを下方に移動させることにより、上部挟持体６と下部挟持部５とでグリップ部Ａを強固に挟持することができる。
【００２０】
また、前記上部挟持体６の一方の垂下部６ｂは、他方の垂下部６ｃよりも垂下長さが長く形成され、垂下部６ｂが差し込まれる溝５ｂの長さも、垂下部６ｃが差し込まれる溝５ｃよりも長く形成されている。垂下長さが長く形成された垂下部６ｂは、雄ねじ１８ａが切られた部分の下側に、屈曲可能に薄肉化されたヒンジ部２１を介して延長部２２が設けられ、垂下長さが短く形成された垂下部６ｃは、下端まで雄ねじ１８ａが切られている。
【００２１】
したがって、図４に示すように、各垂下部６ｂ、６ｃを上方へ移動させるようにねじリング１９を回転させ、垂下長さの短い垂下部６ｃがねじリング１９との螺合が外れたときに、垂下長さの長い垂下部６ｂの延長部２２をねじリング１９に係止した状態で、ヒンジ部２１を屈曲させて湾曲部６ａを上方へ逃がすことにより、上部挟持体６と下部挟持部５の間からグリップ部Ａを取り外すことができ、別体の上部挟持体６が紛失するのを防止することができる。
【００２２】
図５は、前記別体の上部挟持体６を、グリップ部Ａの上側を挟持する凹円弧面１６の曲率半径が大きいものに交換した状態を示す。このように上部挟持体６を交換することにより、直径が大きいグリップ部Ａの釣竿も強固に挟持することができる。
【００２３】
上述した実施形態では、後部竿支持部の下部挟持部を基台の支持台に係脱可能とし、円柱状のものとしたが、下部挟持部は基台または支持台と一体に形成することもでき、その形状も円柱状のものに限定されることはなく、例えば、角柱状のコーナ部をＲ面取りしたもののように、外径面にねじリングを嵌着できるものであればよい。
【００２４】
また、上述した実施形態では、クランプ部をパイプの手摺りを上下にクランプするものとしたが、鍔状の手摺りを上下にクランプするものとすることもでき、これらの手摺りを前後に挟持するものとすることもできる。
【図面の簡単な説明】
【００２５】
【図１】釣竿支持具の実施形態を示す切欠き側面図
【図２】図１の後部竿支持部の分解斜視図
【図３】図１の後部竿支持部の切欠き後面図
【図４】図１の後部竿支持部から釣竿を取り外す状態を示す切欠き後面図
【図５】図３の上部挟持体を交換した状態を示す切欠き後面図
【符号の説明】
【００２６】
１  クランプ部
１ａ  上クランプ
１ｂ  ねじ棒
１ｃ  下クランプ
２  基台
２ａ  腕部
３  前部竿支持部
４  後部竿支持部
５  下部挟持部
５ａ  凹部
５ｂ、５ｃ  溝
６  上部挟持体
６ａ  湾曲部
６ｂ、６ｃ  垂下部
７  支持腕
８  ピン
９  ボルト
１０  ピン
１１  支持台
１２  係合突起
１２ａ  顎部
１３  係合レバー
１４  ねじりコイルばね
１５  ストッパ
１６  凹円弧面
１７  凸条
１８ａ  雄ねじ
１８ｂ  雌ねじ
１９  ねじリング
２０  鍔
２１  ヒンジ部
２２  延長部
【図１】
2008301756.tif 000003
【図２】
2008301756.tif 000004
【図３】
2008301756.tif 000005
【図４】
2008301756.tif 000006
【図５】
2008301756.tif 000007